(57)【要約】【課題】ゴルフクラブヘッドの質量を増大することなく、容易にヘッドの重心位置を所望の位置に調節することが可能なゴルフクラブヘッドおよび該ヘッドを備えたゴルフクラブを提供する。【解決手段】ゴルフクラブは、ゴルフクラブヘッド１と、シャフト２と、グリップとを備える。ゴルフクラブヘッド１は、ソール部３におけるトウ部側に位置する第２の部分３ｂに開口を有するヘッド本体と、該ヘッド本体よりも比重の小さい材料で構成され開口を閉じるようにヘッド本体に取り付けられるプレート１０とを備える。【選択図】　　　　図１
2004105217.tif 000002
【特許請求の範囲】
【請求項１】
ソール部（３）におけるトウ部（７）側に位置する部分に開口（９）を有する金属製のヘッド本体と、
前記ヘッド本体よりも比重の小さい材料で構成され、前記開口（９）を閉じるように前記ヘッド本体に取り付けられる閉塞部材（１０）とを備えた、ゴルフクラブヘッド。
【請求項２】
前記ソール部（３）は、アドレス時に接地される第１の部分（３ａ）と、該第１の部分（３ａ）から前記トウ部（７）側に向かって立ち上がる第２の部分（３ｂ）とを有し、
前記第２の部分（３ｂ）に前記開口（９）を設けた、請求項１に記載のゴルフクラブヘッド。
【請求項３】
前記開口（９）の面積は５ｃｍ２以上４０ｃｍ２以下である、請求項１または請求項２に記載のゴルフクラブヘッド。
【請求項４】
前記閉塞部材（１０）の厚み（ｔ）は、０．５ｍｍ以上３．０ｍｍ以下である、請求項１から請求項３のいずれかに記載のゴルフクラブヘッド。
【請求項５】
前記開口（９）の周囲に位置する前記ヘッド本体表面を凹ませて形成した前記閉塞部材（１０）の受け部（１１）を備え、
前記閉塞部材（１０）は、前記開口（９）内に挿入され前記受け部（１１）の内周に沿って延在する凸部（１５，１３）を有する、請求項１から請求項４のいずれかに記載のゴルフクラブヘッド。
【請求項６】
請求項１から請求項５のいずれかに記載のゴルフクラブヘッドを備えたゴルフクラブ。
【発明の詳細な説明】
【０００１】
【発明の属する技術分野】
本発明は、ゴルフクラブヘッドおよびゴルフクラブに関し、特に、大型（３００ｍｌ以上）の金属製ゴルフクラブヘッドおよび該ヘッドを備えたゴルフクラブに関する。
【０００２】
【従来の技術】
中空の金属製ゴルフクラブヘッドは、チタンやマグネシウムといった軽くて強い材料で製造することが可能となり、体積が３００ｍｌ以上の大型のヘッドが多く開発されている。ところが、ヘッドが大きくなるとヘッドのコントロール性が低下し易くなることから、ヘッドのコントロール性を向上するための開発もなされている。
【０００３】
ヘッドのコントロール性を向上する一手法として、ゴルフクラブヘッドの重心位置をシャフトの軸線に近い位置にずらせる手法がある。このようにヘッドの重心位置をシャフトの軸線側にずらせることにより、いわゆるボールの捕まりがよくなり、またスイング時におけるヘッドコントロールが容易となる。
【０００４】
たとえば、特開平１１−４７３１８号公報には、シャフト差込み孔の先端部にヘッド本体よりも比重の大きいウェイトを装着し、ヘッドの重心位置をヒール側に移動させたゴルフクラブヘッドが開示されている。
【０００５】
【特許文献１】
特開平１１−４７３１８号公報
【０００６】
【発明が解決しようとする課題】
ところが、特開平１１−４７３１８号公報に記載のゴルフクラブヘッドでは、ヘッド本体よりも比重の大きいウェイトを装着しているので、ヘッドの質量が大きくなる。そのため、次のような種々の問題が生じる。
【０００７】
ヘッドの質量が大きくなることから、ゴルフクラブのスイング調整が難しくなり、ヘッドの重心位置をヒール側にずらせたとしても充分にヘッドコントロール性を向上することができない。
【０００８】
また、ヘッドの質量が大きくなるので、ヘッドの大型化に際し不利となる。さらに、ウェイトをヘッド内部に装着しているので、ウェイトを装着すること自体も煩雑となる。
【０００９】
そこで、本発明は、ゴルフクラブヘッドの質量を増大することなく、容易にヘッドの重心位置を調節することが可能なゴルフクラブヘッドおよび該ヘッドを備えたゴルフクラブを提供することを目的とする。
【００１０】
【課題を解決するための手段】
本発明に係るゴルフクラブヘッドは、ソール部におけるトウ部側に位置する部分に開口を有する金属製のヘッド本体と、ヘッド本体よりも比重の小さい材料で構成され、開口を閉じるようにヘッド本体に取り付けられる閉塞部材とを備える。
【００１１】
このようにヘッド本体のトウ部側に開口を設け、該開口を閉じるようにヘッド本体よりも比重の小さい材料で構成される閉塞部材を取り付けることにより、ヘッドのトウ部側の質量を減じることができる。それにより、結果的にヘッドの重心位置をヒール側、すなわちシャフトの軸心側にずらせることができる。
【００１２】
上記ソール部は、好ましくは、アドレス時に接地される第１の部分と、該第１の部分からトウ部側に向かって立ち上がる第２の部分とを有する。この場合、第２の部分に開口を設ける。なお、第１の部分は、平坦な地面（下地）上で通常にアドレスした場合に地面（下地）と接する部分のことであり、地面の起伏が大きい等の特殊な条件下でアドレスした場合を意図するものではない。
【００１３】
上記開口の面積は、好ましくは、５ｃｍ２以上４０ｃｍ２以下である。より好ましくは、開口の面積は１５ｃｍ２以上３０ｃｍ２以下である。
【００１４】
ヘッド本体の開口の面積が５ｃｍ２未満の場合には、ヘッド本体のトウ部側の質量を減じて重心位置をシャフトの軸心側に近づける効果が小さくなる。他方、開口の面積が４０ｃｍ２よりも大きくなると、ヘッドの強度が低下し、ヘッドの信頼性および性能が低下することが懸念される。そこで、開口面積を上記の範囲とすることにより、ヘッドの信頼性および性能を確保しながらヘッドの重心位置をシャフトの軸心側に近づけることができる。
【００１５】
上記閉塞部材の厚みは、好ましくは、０．５ｍｍ以上３．０ｍｍ以下である。閉塞部材の厚みが０．５ｍｍ未満であると、閉塞部材自体の強度が低くなる。そのため、ボールを打撃した時の衝撃に耐えることが困難となる。他方、閉塞部材の厚みが３．０ｍｍよりも大きくなると、閉塞部材の質量が大きくなり、ヘッドの重心位置を制御することが困難となる。そこで、閉塞部材の厚みを上記範囲とすることにより、閉塞部材自体の強度を確保しながらヘッドの重心位置を制御することが可能となる。
【００１６】
ヘッド本体は、好ましくは、上記開口の周囲に位置するヘッド本体表面を凹ませて形成した閉塞部材の受け部を備える。この場合、閉塞部材は、開口内に挿入され上記受け部の内周に沿って延在する凸部を有する。
【００１７】
上記のようにヘッド本体の表面を凹ませて閉塞部材の受け部を設けることにより、閉塞部材をヘッド本体に組み込むことができ、閉塞部材がヘッド本体から離脱するのを効果的に抑制することができる。また、閉塞部材が上記のような凸部を有することにより、たとえば接着剤を用いて閉塞部材をヘッド本体に取り付けた場合に、接着剤がヘッド内部に流れ込むのを抑制することができる。それにより、閉塞部材を強固にヘッド本体に取り付けることができる。
【００１８】
本発明のゴルフクラブは、上述のゴルフクラブヘッドを備える。当該ゴルフクラブでは、ヘッドの重心位置がシャフトの軸心側に近づいているので、スイングした時にヘッドコントロールが容易となる。
【００１９】
【発明の実施の形態】
本発明では、ヘッド本体のトウ部側に開口を設け、ヘッド本体よりも比重の小さい部材で上記開口を閉塞することにより、ゴルフクラブヘッドのトウ部側の質量を減じ、結果的にゴルフクラブヘッドの重心位置をシャフトの軸心側に近づけることを重要な特徴とする。つまり、ゴルフクラブヘッドの質量を増大することなく、ゴルフクラブヘッドの重心位置をシャフトの軸心側に近づけることを重要な特徴とする。
【００２０】
上記開口はヘッド本体のトウ部近傍に設ければよい。たとえば、クラウン部におけるトウ部近傍、サイド部におけるトウ部近傍あるいはソール部におけるトウ部側に位置する部分に開口を設けることが考えられる。
【００２１】
しかし、ヘッドの強度を確保するとともに外観をも損なわず、またアドレス時に目障りとならないように、ソール部におけるトウ部側に位置する部分に上記開口を設けることが好ましい。
【００２２】
ソール部に上記開口を設ける場合、ソール部の形状を次のような形状とすることが考えられる。たとえば、ソール部の形状を、ヒール部側に位置する第１の部分と、トウ部側に位置する第２の部分を含む形状とする。
【００２３】
第１の部分は、アドレス時、すなわち平坦な地面（下地）上にボールをセットしてヘッドを地面の上においた状態でゴルフクラブを持ったプレイヤーが構えた時に地面と接する部分であり、ヘッド本体の底部を構成する。第２の部分は、該第１の部分からトウ部側に向かって立ち上がる部分であり、典型的には、第１の部分から斜め上方に立ち上がり、平坦な地面（下地）上で通常にアドレスした場合に地面と接しない。
【００２４】
ソール部に上記開口を設ける場合、第２の部分に該開口を設けることが好ましい。それにより、開口を閉じるようにヘッド本体に後述するプレート等の閉塞部材を取り付けた場合に、スイング時やアドレス時に地面等に該閉塞部材が当たって閉塞部材がヘッド本体から離脱する等の不具合を回避することができる。また、アドレス時に閉塞部材が見えて目障りとなることがなく、プレーに集中することができる。
【００２５】
上記開口の面積は、好ましくは、５ｃｍ２以上４０ｃｍ２以下である。より好ましくは、開口の面積は１５ｃｍ２以上３０ｃｍ２以下である。開口面積をかかる範囲とすることにより、ヘッドの信頼性および性能を確保しながらヘッドの重心位置をシャフトの軸心側に近づけることができる。特に、開口面積を１５ｃｍ２以上３０ｃｍ２以下とすることにより、ヘッド本体のトウ部側の質量を適切に減じて重心位置をヒール側、すなわちシャフトの軸心側に近づけることができ、かつヘッドの強度低下も効果的に抑制することができる。
【００２６】
上記開口の数は、単数でも複数でもよい。開口を複数形成する場合には次のような態様が考えられる。すなわち、クラウン部におけるトウ部近傍、サイド部におけるトウ部近傍、ソール部におけるトウ部側に位置する部分の２箇所以上の部分にそれぞれ１つの開口を設ける場合と、各部に２つ以上の開口を設ける場合とが考えられる。開口を複数形成する場合には、開口の合計面積が上記範囲内にあればよい。
【００２７】
上記の開口を閉じるようにヘッド本体よりも比重の小さい材料で構成されるプレート等の閉塞部材をヘッド本体に取り付ける。このようにヘッド本体に開口を設け、かつ該開口を閉じるように閉塞部材を取り付けることにより、たとえばヘッドのトウ部側の質量を２〜１０ｇ程度（好ましくは５ｇ前後）減少させることができる。それにより、ゴルフクラブヘッドの質量を増大することなく、ヘッドの重心位置をシャフトの軸心側に近づけることができる。また、閉塞部材をヘッド本体に取り付けることにより、上記開口からヘッド内部に水や異物が入るのを阻止することができる。さらに、閉塞部材の表面に絵柄の印刷をしたり、浮き出しのマーク等を表示することにより、美観に優れたヘッドとすることもできる。
【００２８】
ヘッド本体の材料としては、たとえばＳＵＳ６３０等のステンレス鋼、純チタン、Ｔｉ−６Ａｌ−４Ｖ等のチタン合金を挙げることができる。他方、閉塞部材の材料としては、合成樹脂等の比重が小さく、柔らかくかつ弾性変形可能な材料を挙げることができる。たとえば、ポリウレタン樹脂、ＡＢＳ（Ａｃｒｙｌｏｎｉｔｒｉｌｅ−Ｂｕｔａｄｉｅｎｅ−Ｓｔｙｒｅｎｅ）樹脂、ポリカーボネイト樹脂等からなる樹脂プレート、これらの樹脂を用いたＦＲＰ（Ｆｉｂｅｒ−Ｒｅｉｎｆｏｒｃｅｄ　Ｐｌａｓｔｉｃｓ）プレートを、閉塞部材として使用可能である。またヘッド本体よりも比重の小さいものであれば、マグネシウム、マグネシウム合金、アルミニウム、アルミニウム合金等の金属プレートを閉塞部材として使用することもできる。
【００２９】
閉塞部材は、両面に粘着剤が塗布された粘着テープや接着剤等によりヘッド本体に取り付けることができる。たとえば、ヘッド本体において開口の周囲に位置する部分に閉塞部材を受ける受け部を設け、該受け部の表面に上記粘着テープを貼付したり、接着剤を塗布し、その上に閉塞部材の周縁部を押し付ければよい。このように、外部からヘッド本体に押付けるだけで閉塞部材をヘッド本体に取り付けることができるので、閉塞部材をヘッド本体に容易に取り付けることができる。
【００３０】
上記受け部は、ヘッド本体の開口の周囲に位置するヘッド本体の表面を凹ませて形成することができる。たとえば上記開口の周囲に位置するヘッド本体の一部をヘッドの内方側に凹ませるとともに開口の内方側に突き出すように成形し、当該部分を略Ｌ字状の断面形状とすることにより、上記受け部を形成することができる。
【００３１】
このような受け部を設けることにより、閉塞部材をヘッド本体に取り付けた際に、少なくとも閉塞部材の周縁部がヘッドの表面に突出するのを抑制することができる。したがって、閉塞部材が何らかの部材に当たる等してヘッド本体から離脱するのを効果的に抑制することができる。また、閉塞部材の接着面積を確保することができるので、閉塞部材を強固にヘッド本体に取り付けることができる。
【００３２】
上記受け部は、ヘッド本体の上記開口の全周に沿って形成してもよく、該開口に沿って選択的に形成してもよい。このように受け部を開口に沿って選択的に形成することにより、ヘッド本体のトウ部をさらに軽量化することができる。
【００３３】
閉塞部材の大きさは、ヘッドの体積によって異なるが、ヘッドの体積が大きくなるにつれて、閉塞部材の大きさも大きくすればよい。閉塞部材の厚みは、０．５ｍｍ以上３．０ｍｍ以下である。より好ましくは、閉塞部材の厚みは１ｍｍ以上２ｍｍ以下である。閉塞部材の厚みを上記範囲とすることにより、閉塞部材自体の強度を確保しながらヘッドの重心位置を調節することが可能となる。
【００３４】
閉塞部材は、好ましくは、開口内に挿入され上記受け部の内周に沿って延びる凸部を有する。このような凸部を設けることにより、たとえば接着剤を用いて閉塞部材をヘッド本体に取り付けた場合には接着剤がヘッド内部に流れ込むのを抑制することができる。このことも、ヘッド本体への閉塞部材の強固な固定に寄与し得る。
【００３５】
上記凸部としては、たとえば閉塞部材の中央部に一体の凸部を設けてもよく、ヘッド本体の開口に沿う壁部を設けるようにしてもよい。該凸部の突出高さは、１．０ｍｍ以上５．０ｍｍ以下であることが好ましい。それにより、上述の効果が得られる。
【００３６】
閉塞部材に係止脚を形成し、当該係止脚によって閉塞部材を上記受け部の裏面に係止するようにしてもよい。それにより、閉塞部材をヘッド本体により強固に固定することができる。
【００３７】
係止脚は、閉塞部材をヘッド本体に取り付けた際に上記受け部の内周に接するように設けられ、先端に断面形状が略三角形である係止爪を有する。この係止爪を上記受け部に係止することにより、閉塞部材をヘッド本体に固定する。係止脚は、典型的には、上記受け部全体と係止するように形成すればよいが、閉塞部材の取付け易さや軽量化の観点から、上記受け部の任意の複数箇所に係止するように選択的に形成してもよい。
【００３８】
係止脚を有する閉塞部材をヘッド本体に取り付けるには、ヘッド本体の開口の上方より閉塞部材の係止脚を開口内部に圧入すればよい。このとき、まず係止爪の外側の斜面が上記受け部の内周に沿って摺動し、その際に当該受け部に係止爪が押されて係止脚が開口の内側に倒れるように弾性変形する。この状態からさらに係止脚を押圧すると、係止爪全体が上記受け部よりもヘッド本体の内側に圧入され、係止爪の外側の斜面と上記受け部の内周との摺動状態が解消され、係止脚が元の形状に戻る。それにより、係止爪の底面が上記受け部の裏面（ヘッドの内部空間に面する側の表面）に係止され、閉塞部材をヘッド本体に取り付けることができる。
【００３９】
本発明のゴルフクラブは、上述のゴルフクラブヘッド、シャフトおよびグリップを備える。シャフトおよびグリップとしては周知のものを採用できるので、シャフトおよびグリップに関する記述は省略する。ゴルフクラブヘッドの体積は、好ましくは、３００ｍｌ以上５００ｍｌ以下である。
【００４０】
本発明のゴルフクラブでは、上述のようにヘッドの重心位置がシャフトの軸心側に近づいているので、スイング時にヘッドコントロールが容易となる。
【００４１】
【実施例】
以下、本発明の実施例について図を参照して説明する。図１〜図３に示すように、本実施例のゴルフクラブは、ゴルフクラブヘッド１と、シャフト２と、図示しないグリップとを備える。
【００４２】
ゴルフクラブヘッド１は、チタン合金（Ｔｉ−６Ａｌ−４Ｖ）製のヘッド本体と、ＡＢＳ樹脂製のプレート１０とを備える。ヘッド本体は、中空外殻構造を有し、図１〜図３に示すように、ソール部３、サイド部４、ホーゼル部５、フェース部６、トウ部７およびクラウン部８を含む。
【００４３】
図１〜図３に示す例では、ソール部３は、アドレス時に地面（下地）と接し、ヘッド本体の底部を構成する第１の部分３ａと、この第１の部分３ａから斜め上方（トウ部側）に立ち上がりアドレスした場合に地面（下地）と接しない第２の部分３ｂとを含む。
【００４４】
図２および図３に示すように、ソール部３の第２の部分３ｂとトウ部７との間にはサイド部４が存在する。図３に示すように、サイド部４の立ち上がり角度（図３における第１の部分３ａの底面の接線とのなす角度）は、ソール部３の第２の部分３ｂの立ち上がり角度よりも大きくなっている。
【００４５】
図４に示すように、第２の部分３ｂに開口９を設け、該開口９を閉じるようにプレート１０をヘッド本体に取り付ける。開口９の面積は１８ｃｍ２程度である。開口９の周囲にはプレート受け部１１を設ける。プレート受け部１１は、少なくともプレート１０の厚み分だけその周囲に位置するヘッド本体の表面よりもヘッド本体の内方側に凹むように凹状に設けられる。このプレート受け部１１上に、両面に粘着剤が塗布された粘着テープを貼り付け、該粘着テープ上からプレート受け部１１にプレート１０の周縁部を押し付け、プレート１０をヘッド本体に接着する。
【００４６】
図５（ａ），（ｂ）にプレート１０の形態例を示す。図５（ａ）の例では、プレート１０は、中央に一体の凸部１５と、周縁部に接着面１２とを有する。プレート１０の最大長さは、７０〜８０ｍｍ程度であり、プレート１０の最大幅は、３５〜４０ｍｍ程度である。またプレート１０の厚みｔは、１．５ｍｍであり、プレート１０の表面からの凸部１５の突出高さは、１．５ｍｍ〜２．０ｍｍ程度である。
【００４７】
図５（ｂ）の例では、プレート１０は、接着面１２と、壁部（凸部）１３と、係止爪１４とを有する。プレート１０の外形寸法と厚みは、図５（ａ）の場合と同様である。プレート１０の表面からの壁部１３の突出高さは、１．５ｍｍ〜２．０ｍｍ程度であり、壁部１３からの係止爪１４は、２．０ｍｍ程度である。
【００４８】
接着面１２は、プレート受け部１１上に載置される部分であり、この接着面１２とプレート受け部１１とを上述の粘着テープを介して接着することにより、プレート１０をヘッド本体に接着する。この接着面１２は、図５（ａ），（ｂ）に示すように、凸部１５あるいは壁部１３を取り囲むようにプレート１０の外周に沿って設けられ、３．０ｍｍ程度の幅を有する。
【００４９】
凸部１５と壁部１３の外形は、開口９の形状と略同形状であり、この凸部１５や壁部１３は、プレート１０をヘッド本体に取り付けた際に開口９内に受け入れられる。このとき、凸部１５や壁部１３の外周は、開口９を規定するプレート受け部１１の内周に沿って延在することが好ましい。
【００５０】
図５（ｂ）の例では係止爪１４の断面形状は略三角形であり、壁部１３上に選択的に突設されている。しかし、該係止爪１４を、壁部１３上の全体にわたって形成してもよい。
【００５１】
この係止爪１４および壁部１３を有するプレート１０をヘッド本体に取り付けるには、プレート受け部１１上に上述の粘着テープを貼り付けた後、図６（ａ）に示すように開口９の上方から係止爪１４および壁部１３を開口９内に圧入すればよい。
【００５２】
このとき、まず係止爪１４の外側の傾斜面がプレート受け部１１の内周に当接しながら摺動し、それにより係止爪１４および壁部１３が開口９の内方側に倒れるように弾性変形する。その後、さらにプレート１０を押圧することにより、係止爪１４がヘッド本体の内部に入り込み、それに伴い係止爪１４および壁部１３が外方側に復元する。その結果、図６（ｂ）に示すように、係止爪１４の底面がプレート受け部１１の裏面と係合し、係止爪１４がプレート受け部１１に係止される。
【００５３】
次に、図７および図８を用いて他の実施例について説明する。図７に示すように、プレート１０を取り付けるための開口を複数設けてもよい。図７の例では、２つの開口９ａ，９ｂを設けているが、３つ以上の開口を設けてもよい。また、ソール部３の第２の部分３ｂと、トウ部７の近傍であって該第２の部分３ｂ以外の部分とに開口を設けてもよく、第２の部分３ｂ以外の部分に複数の開口を設けてもよい。
【００５４】
図８に、本実施例で使用可能なプレート１０の形態例を示す。図８に示すように、本実施例では２つの開口９ａ，９ｂに対し共通のプレート１０を設ける。この場合、開口９ａ，９ｂ間に位置するヘッド本体の一部が、プレート受け部１１となる。
【００５５】
プレート１０は、開口９ａ，９ｂに対応して２箇所に係止爪１４および壁部１３をそれぞれ設け、壁部１３間にも接着面１２を設ける。本実施例の場合には、上述の実施例の場合よりも接着面１２の面積を増大することができ、プレート１０を強固にヘッド本体に取り付けることができる。また、開口９ａ，９ｂ間のプレート受け部１１によってプレート１０の中央部を支持することができるので、プレート１０の設置箇所を補強することもできる。
【００５６】
以上のように本発明の実施の形態について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００５７】
【発明の効果】
本発明によれば、ゴルフクラブヘッドにウェイトを取り付けることなくゴルフクラブヘッドの重心位置をヒール側、すなわちシャフトの軸心側に近づけることができる。また、ヘッド本体の外部から閉塞部材をヘッド本体に取り付けるだけでよいので、その作業は容易に行なえる。したがって、ゴルフクラブヘッドの質量を増大することなく、容易にゴルフクラブヘッドの重心位置をシャフトの軸心側に近づけることができる。
【図面の簡単な説明】
【図１】本発明の１つの実施例におけるゴルフクラブヘッドをソール部側から見た斜視図である。
【図２】本発明の１つの実施例におけるゴルフクラブヘッドをトウ部側から見た図である。
【図３】本発明の１つの実施例におけるゴルフクラブヘッドをバック部側から見た図である。
【図４】本発明の１つの実施例におけるゴルフクラブヘッドからプレートを外した状態の斜視図である。
【図５】（ａ）および（ｂ）は本発明のプレートの形状例を示す斜視図である。
【図６】（ａ）は、図５（ｂ）のタイプのプレートをヘッド本体に取り付けている様子を示す断面図であり、（ｂ）は、図５（ｂ）のタイプのプレートをヘッド本体に取り付けた場合のゴルフクラブヘッドの部分断面図である。
【図７】本発明の他の実施例におけるゴルフクラブヘッドをソール部側から見た斜視図である。
【図８】本発明のプレートの他の形状例を示す斜視図である。
【符号の説明】
１　ゴルフクラブヘッド、２　シャフト、３　ソール部、３ａ　第１の部分、３ｂ　第２の部分、４　サイド部、５　ホーゼル部、６　フェース部、７　トウ部、８　クラウン部、９，９ａ，９ｂ　開口、１０　プレート、１１　プレート受け部、１２　接着面、１３　壁部、１４　係止爪、１５　凸部。
【図１】
2004105217.tif 000003
【図２】
2004105217.tif 000004
【図３】
2004105217.tif 000005
【図４】
2004105217.tif 000006
【図５】
2004105217.tif 000007
【図６】
2004105217.tif 000008
【図７】
2004105217.tif 000009
【図８】
2004105217.tif 000010